(57)【要約】【課題】軽量化が可能であると共に、建造物に修復を要する程大きな傷が付くのを防止できる外部コーナ用足場の提供を課題とする。【解決手段】本発明の外部コーナ用足場１は、建造物１１の外部コーナ１２における両側の外壁面１３，１４のうち、少なくとも一方の外壁面１３又は１４に沿って配置される足場部材１５と、この足場部材１５の外周側に設けられた保護用の枠部材１６と、この枠部材１６に設けられ柱部材１７を把持する把持手段と、枠部材１６から躯体の外壁面に設けられた開口であるインナーバルコニー１０内に突出し、インナーバルコニー１０における外壁５０の躯体構成部材である開口縁５１上に載置される受部材とを備えている。【選択図】図１                                                                  
2005256342.tif 000002
【特許請求の範囲】
【請求項１】
建造物における躯体の外部コーナを形成する両外壁面に開口を有し、前記開口内に前記外部コーナにおける柱部材が露出された建造物の外装工事などをする際に、前記建造物の外部コーナに仮設される外部コーナ用足場であって、
前記建造物の前記外部コーナにおける両側の外壁面のうち、少なくとも一方の外壁面に沿って配置される足場部材と、
前記足場部材の外周側から上方に延びる保護用の枠部材と、
前記枠部材に設けられ前記建造物の前記柱部材を把持する把持手段と、
前記枠部材から前記開口内に突出し、前記躯体の構成部材上に載置される受部材と、を備えたことを特徴とする外部コーナ用足場。
【請求項２】
前記足場部材が略Ｌ字型に形成され、前記略Ｌ字型における各辺部分が前記外部コーナにおける両側の外壁面に沿って配置されることを特徴とする請求項１に記載の外部コーナ用足場。
【請求項３】
前記把持手段は、前記枠部材の両端部から前記柱部材における両側の内側面に沿って延びる一対のタイロッドと、前記柱部材の内部コーナに係止されると共に、前記一対のタイロッドに任意の位置で係止可能な係止部材と、を有することを特徴とする請求項２に記載の外部コーナ用足場。
【請求項４】
前記足場部材は複数段に亘って設けられていることを特徴とする請求項１から３の何れかに記載の外部コーナ用足場
【請求項５】
前記複数段の足場部材は、それぞれ前記建造物の上下の階層に対応していることを特徴とする請求項４に記載の外部コーナ用足場。
【請求項６】
前記枠部材と前記把持手段とが協働して前記柱部材を把持することを特徴とする請求項１から５の何れかに記載の外部コーナ用足場。
【請求項７】
前記枠部材は、前記足場部材の外周のうち前記外壁面と対向する部分を除いて設けられていることを特徴とする請求項１から６の何れかに記載の外部コーナ用足場。
【発明の詳細な説明】
【技術分野】
【０００１】
本発明は、外部コーナーにおける両側の外壁面に例えばインナーバルコニーやベランダなどの開口を有する建造物において、外部コーナー付近の外装工事などをする際に好適な外部コーナ用足場に関する。
【背景技術】
【０００２】
例えばインナーバルコニー（外壁面より内側に設けられたバルコニー）を有する建造物の外部コーナ付近で外装工事をする際には、外壁面より外側にコーナ用足場を仮設するのが一般的である。
【０００３】
従来の外部コーナ用足場は、鋼材などで形成された足場部材をインナーバルコニーから外側に跳ね出すと共に、外部コーナを形成する柱部材を避けた位置にアンカーを打設し、このアンカーを用いて上記の足場部材を固定していた。
【発明の開示】
【発明が解決しようとする課題】
【０００４】
しかしながら、従来の外部コーナ用足場は片持ち梁となるため、その強度を大きくする必要性から、足場部材が大型化し重量が増大するという問題があった。
【０００５】
また、外装工事が終了した後、アンカーの打設痕を修復するために、ゴンドラなどを使用して修復作業をしなければならず、その費用が増大するという問題があった。
【０００６】
本発明は、このような問題に鑑みなされたもので、足場部材の軽量化が可能であると共に、足場を仮設する際に建造物に大規模な修復工事を要する程大きな傷が付くのを防止できる外部コーナ用足場の提供を課題とする。
【課題を解決するための手段】
【０００７】
本発明は、前記課題を解決するため、以下の手段を採用した。すなわち、本発明は、建造物における躯体の外部コーナを形成する両外壁面に開口を有し、前記開口内に前記外部コーナにおける柱部材が露出された建造物の外装工事などをする際に、前記建造物の外部コーナに仮設される外部コーナ用足場であって、前記建造物の前記外部コーナにおける両側の外壁面のうち、少なくとも一方の外壁面に沿って配置される足場部材と、前記足場部材の外周側から上方に延びる保護用の枠部材と、前記枠部材に設けられ前記建造物の前記柱部材を把持する把持手段と、前記枠部材から前記開口内に突出し、前記躯体の構成部材上に載置される受部材と、を備えたことを特徴とする。
【０００８】
本発明では、枠部材に設けられた把持手段によって柱部材が把持されると共に、外部コーナ用足場全体の荷重が受部材を介して躯体の構成部材で支持されるので、従来のように足場を仮設するために建造物にアンカーを打設する必要がなくなる。
【０００９】
また、足場部材は躯体の外壁面に沿って設けられるので、従来のように足場部材を片持ち梁とした場合に比べて、足場部材の強度を小さくできる。
【００１０】
ここで、前記足場部材を略Ｌ字型に形成し、前記略Ｌ字型の両辺部分を前記外部コーナの両側の外壁面に沿って配置すのが好ましい。
【００１１】
この場合は、一個の足場部材で外部コーナにおける両側の外壁面に対して外装工事をす
ることができる。
【００１２】
また、前記固定手段は、前記枠部材の両端部から前記柱部材の内側面に沿って延びる一対のタイロッドと、前記柱部材の内部コーナに係止されると共に、前記一対のタイロッドに任意の位置で係止可能な係止金具とによって構成できる。
【００１３】
この場合は、タイロッドに係止金具を係止するだけで外部コーナ用足場を建造物の外部コーナに簡単に仮設できる。また、外部コーナ用足場の撤去も容易である。把持手段の構成も簡略化できる。
【００１４】
更に、前記足場部材を複数段設けるのが望ましい。この場合は、外部コーナ用足場を一箇所に設置することにより、建造物の複数階に相当する範囲の外壁に対して外装工事をすることができる。
【００１５】
上記複数段の足場部材は、それぞれ建造物の各階層に対応させるのが好ましい。この場合は、建造物の各階層におけるインナーバルコニーなどの開口から外部コーナ用足場の各足場部材に出入りできる。
【００１６】
また、前記枠部材と前記把持手段とが協働して前記柱部材を把持するようにできる。これにより、把持手段の構成を簡略化できる。
【００１７】
更に、前記枠部材は、前記足場部材の外周のうち前記外壁面と対向する部分を除いて設けることができる。この場合は、外壁面の外装工事などをする際に枠部材が邪魔にならないので、作業効率が向上する。
【発明の効果】
【００１８】
以上説明したように、本発明の外部コーナ用足場によれば、建造物の外部コーナーに仮設する際に、アンカーを用いる必要がないので、建造物に大きな傷が付くのを防止できる。
【００１９】
従って、建造物の外装工事終了後に大規模な補修工事をする必要がないので、コスト低減及び工期短縮が可能になる。
【００２０】
また、足場部材は建造物の外壁面に沿って配置されるので、従来のように足場部材を片持ち梁とした場合に比べてその強度を小さくでき、軽量化及びコストダウンが可能になる。
【発明を実施するための最良の形態】
【００２１】
以下、本発明の実施の形態を添付した図１から図１２に基づいて詳細に説明する。
【００２２】
図１及び図２に示すように、本発明に係る外部コーナ用足場１は、建造物の躯体に多階層を有すると共に、開口であるインナーバルコニー１０を有する建造物１１の外装工事、特に仕上げ工事（シール作業、グラウト注入作業など）をする際に好適に用いられる。なお、躯体にインナーバルコニー１０が設けられた場合に限らず、バルコニー、ベランダなどの開口が設けられた場合にも、本発明を適用できる。
【００２３】
建造物１１の外部コーナ１２に設けられた柱部材１７は、その全周がインナーバルコニー１０に露出されている。なお、ここでは、建造物１１の外壁面１３，１４より内側に設けられたバルコニーをインナーバルコニーと言う。
【００２４】
この外部コーナ用足場１は、図１に示すように、外部コーナ１２における両側の外壁面１３，１４のうち、少なくとも一方の外壁面１３又は１４に沿って配置される足場部材１５と、この足場部材１５の外周側から上方に延びる保護用の枠部材１６とを備えている。
【００２５】
本例では、上記の足場部材１５が略Ｌ字型に形成され、この略Ｌ字型における両辺部分１５ａ，１５ｂが、建造物１１の両方の外壁面１３，１４に沿って配置されている。
【００２６】
また、本例では、枠部材１６が、足場部材１５の外周のうち外壁面１３，１４に対向する部分を除いて設けられている。
【００２７】
更に、この外部コーナ用足場１は、図３に示すように、上記の枠部材１６に設けられ柱部材１７を把持する把持手段１８と、枠部材１６からインナーバルコニー１０内に突出し、インナーバルコニー１０における外壁５０の開口縁５１上に載置される受部材２０とを備えている。
【００２８】
次に、上記の各構成について説明する。足場部材１５は、図３に示すように、例えば縞鋼板によって形成されている。足場部材１５の略Ｌ字型における両辺部分１５ａ，１５ｂは、作業者が歩行するのに適した幅を有している。
【００２９】
足場部材１５の一方の辺部分１５ａは、柱部材１７の幅より所定の寸法だけ長く形成されている。また、足場部材１５の他方の辺部分１５ｂは、柱部材１７の幅より僅かに長く形成されている。
【００３０】
本例では、図１に示すように、足場部材１５が上下に２段設けられている。そして枠部材１６は、下段の足場部材１５から上段の足場部材１５より上側の所定の高さまで連続して設けられている。
【００３１】
この枠部材１６は、図４及び図５に示すように、複数の垂直部材１６ａ及び水平部材１６ｂによって格子状に形成され、足場部材１５の上側空間における側面を囲むように設けられている。
【００３２】
また、図３に示すように、足場部材１５の一方の辺部分１５ａに設けられた枠部材１６の端部には、インナーバルコニー１０から足場部材１５に出入りするための出入り口２１が設けられている。
【００３３】
この出入り口２１には、上下の足場部材１５，１５間を連絡するタラップ２２が設けられている。
【００３４】
上記の把持手段１８は、図６に示すように、枠部材１６の両端部から、柱部材１７の側面に沿って延びる一対のタイロッド２５，２５と、これらのタイロッド２５，２５にスライド自在に係止される係止金具２６とを備えている。
【００３５】
本例では、枠部材１６に柱部材１７の側面に沿って延びる補強部材３５が設けられている。この補強部材３５には、図７に示すように、タイロッド２５を取り付けるための取付金具２７が設けられている。
【００３６】
この取付金具２７は、断面が略Ｌ字型であり、その一辺２７ａにタイロッド２５を挿通するボルト孔２８が設けられ、他辺２７ｂに補強部材３５に固定するための取付孔２９，２９が設けられている。取付金具２７の両側には、補強リブ３４，３４が設けられている。
【００３７】
タイロッド２５は、その一端が取付金具２７のボルト孔２８に挿通され、先端のネジ部分３０にワッシャ３１を介してナット３２が螺入される。これにより、タイロッド２５が取付金具２７に係止される。
【００３８】
取付金具２７は、その取り付け孔２９，２９に挿通されたボルト部分３３，３３によって補強部材３５に固定される。
【００３９】
上記把持手段１８の係止金具２６は、図８に示すように、鋼板を水平及び垂直方向に組み合わせて形成されている。この係止金具２６は、柱部材１７の内部コーナ３８に係止可能な係止用凹部４０と、上記のタイロッド２５，２５を挿通する挿通孔４１，４１とを有している。
【００４０】
係止用凹部４０は、垂直板４２，４２を直交させることによって設けられている。また、挿通孔４１，４１は、互いに直交する垂直リブ４３，４３に設けられている。
【００４１】
上記のタイロッド２５，２５は、係止金具２６の挿通孔４１，４１に挿通され、その先端のネジ部分４４，４４にワッシャ４５，４５を介してナット４６，４６が螺入される。これにより、係止金具２６がタイロッド２５，２５に係止される。
【００４２】
図９に示すように、枠部材１６の補強部材３５に設けられた取付金具２７と、柱部材１７の内部コーナ３８に係止された係止金具２６とが、タイロッド２５，２５によって結合される。
【００４３】
そして、タイロッド２５，２５の両端のネジ部分３０，４４に螺入されたナット３２，４６を締め付けることによって、係止金具２６と両方の取付金具２７が互いに接近する。
【００４４】
最終的には、係止金具２６と補強部材３５及び枠部材１６とによって柱部材１７の４側面が強く挟持される。すなわち、柱部材１７が、補強部材３５、枠部材１６及び把持手段１８によって強く把持される。これにより、外部コーナ用足場１６が仮設状態でぐら付くのを防止できる。
【００４５】
なお、本例では、図１０に示すように、把持手段１８が上下に適宜な間隔をあけて２個設けられているが、１個又は３個以上設けることができる。
【００４６】
また、本例では、枠部材１６、補強部材３５及び把持手段１８が協働して柱部材１７を把持するように構成したが、把持手段のみで柱部材１７を把持するようにできる。
【００４７】
上記の受部材２０は、図１１に示すように、枠部材１６の下端部からインナーバルコニー１０内に突出している。また、この受部材２０は、図１２に示すように、鋼材を組み合わせて略三角形に形成されている。
【００４８】
この受部材２０は、上記のように建造物１１のインナーバルコニー１０における外壁５０の開口縁５１上に載置される。これにより、外部コーナ用足場１の重量が受部材２０，２０を介して、外壁５０によって支持される。なお、受部材２０は、外壁５０の開口縁５１に限らず、廊下や梁部材など躯体の構成部材上に載置できる。
【００４９】
このように、本発明の外部コーナ用足場１は、枠部材１６及び把持手段１８によって柱部材１７が把持されると共に、全体の重量が枠部材１６に設けられた受部材２０を介して躯体の構成部材である外壁５０によって支持されるので、アンカーなどを用いることなく
建造物１１の外部コーナ１２に仮設できる。
【００５０】
従って、建造物１１に修復を要するほど大きな傷が付くのを防止できるので、建造物１１の外装工事が終了した後、ゴンドラなどを用いて修復作業をする必要がなく、コスト低減及び工期の短縮が可能になる。
【００５１】
また、足場部材１５は、建造物１１の外壁面１３，１４に沿って配置され、枠部材１６によって保持されるので、単に作業者の重量を支持できる程度の強度を備えれば十分である。従って、従来の片持ち梁の足場部材に比べて軽量化できる。
【００５２】
なお、上記の実施例では、足場部材１５を上下に２段設けた場合について説明したが、足場部材１５は１段又は３段以上設けることができる。
【図面の簡単な説明】
【００５３】
【図１】実施形態に係る外部コーナ用足場の仮設状態を示す斜視図である。
【図２】実施形態に係る外部コーナ用足場の仮設状態を示す断面図である。
【図３】図１のＡ−Ａ断面図である。
【図４】図３のＢ矢視図である。
【図５】図３のＣ矢視図である。
【図６】実施形態に係る把持手段を示す平面図である。
【図７】実施形態に係る取付金具を示す斜視図である。
【図８】実施形態に係る係止金具を示す斜視図である。
【図９】実施形態に係る把持手段の構成を示す平面図である。
【図１０】図６のＤ矢視図である。
【図１１】図６のＥ矢視図である。
【図１２】実施形態に係る受部材を示す斜視図である。
【符号の説明】
【００５４】
１    外部コーナ用足場
１０    インナーバルコニー
１１    建造物
１２    外部コーナ
１３，１４    外壁面
１５    足場部材
１５ａ，１５ｂ    辺部分
１６    枠部材
１６ａ    垂直部材
１６ｂ    水平部材
１７    柱部材
１８    把持手段
２０    受部材
２１    出入り口
２２    タラップ
２５    タイロッド
２６    係止金具
２７    取付金具
２７ａ    一辺
２７ｂ    他片
２８    ボルト孔
２９    取付孔
３０    ネジ部分
３１，４５    ワッシャ
３２，４６    ナット
３３    ボルト
３４    補強リブ
３５    補強部材
３８    内部コーナ
４０    係止用凹部
４１    挿通孔
４２    垂直板
４３    垂直リブ
４４    ボルト部分
５０    外壁
５１    開口縁
【図１】
2005256342.tif 000003
【図２】
2005256342.tif 000004
【図３】
2005256342.tif 000005
【図４】
2005256342.tif 000006
【図５】
2005256342.tif 000007
【図６】
2005256342.tif 000008
【図７】
2005256342.tif 000009
【図８】
2005256342.tif 000010
【図９】
2005256342.tif 000011
【図１０】
2005256342.tif 000012
【図１１】
2005256342.tif 000013
【図１２】
2005256342.tif 000014